(57)【特許請求の範囲】
【請求項１】
搬送器具の方形の荷台面上に立設する枠状の支持壁部と、
該支持壁部の対向する一対の第１壁面に形成された突部又は受部からなる第１掛止構成部と、
前記支持壁部の対向する一対の第１壁面の内面に接して立設すると共に、前記第１掛止構成部に掛止められる受部又は突部からなる第２掛止構成部と、第２カバーパネルの左右の端部のいずれか一側を上下に摺動可能に嵌合する嵌合溝と、第２カバーパネルと相互に掛止められる第３掛止構成部とを設けた一対の第１カバーパネルと、
該一対の第１カバーパネルの嵌合溝間に挿入されて下向きに摺動自在な左右の端部を有して第１カバーパネルに掛け止められ、前記支持壁部の第１壁面に隣接し直交する一対の第２壁面の内面に沿って立設する一対の第２カバーパネルと、
前記支持壁部に第１カバーパネルと第２カバーパネルとが組み立てられた箱体の上端に外嵌する蓋部とからなって、略箱形に組み立てられる組立式コンテナであって、
前記支持壁部には、角部にアングル状の補強金具が固定されており、
前記支持壁部の内周は、第１カバーパネルと第２カバーパネルとが支持壁部から分解して横倒した第１カバーパネルと第２カバーパネルとを収納可能な内周寸法に設定されており、
前記蓋部は支持壁部に外嵌し、蓋部の下端が前記補強金具に衝合して掛止められることを特徴とする組立式コンテナ。
【請求項２】
第１カバーパネルと第２カバーパネルの掛止手段が、
第１カバーパネルに設けた嵌合溝と第２カバーパネルに形成されて前記嵌合溝に摺動可能に嵌合する第２カバーパネルの左右の端部との組合せと、
第１カバーパネルに設けられて、前記嵌合溝を形成する周壁の上方で上端が開口した上部受溝、又は嵌合溝の下部で嵌合溝内に突出した下方突部からなる第３掛止構成部と、第２カバーパネルに設けられて、第２カバーパネルの上部に設けられて前記上部受溝に上から挿入される上方突部、又は下部に設けられて下方突部に上から挿入される下端が開口した下部受溝からなる第４掛止構成部との組合せとからなることを特徴とする請求項１に記載の組立式コンテナ。
【請求項３】
第１カバーパネルは、プラスチック製中空体シートの第１パネル本体と、該第１パネル本体の左右両端を嵌合すると共に嵌合溝一対の金属製の第１フレームとからなっており、
第２カバーパネルが、プラスチック製中空体シートの第２パネル本体と、該第２パネル本体の少なくとも上端を嵌合する第３嵌合溝部を有する金属製の第２フレームとからなっており、
第２掛止構成部及び第３掛止構成部が第１カバーパネルの第１フレームに形成されており、
第４掛止部が、第２カバーパネルの第２フレームに形成されていることを特徴とする請求項２に記載の組立式コンテナ。
【請求項４】
第１掛止構成部は、第１壁面と補強金具とを貫通する貫通孔からなっていることを特徴とする請求項１に記載の組立式コンテナ。
【発明の詳細な説明】
【技術分野】
【０００１】
この発明は、方形の荷台面を有するパレットやスキッド台車等の搬送器具に支持壁部を設け、該支持壁部に支柱を用いずカバーパネル部を掛け止めるだけで組立ができる分解可能な組立式コンテナに関する。
【背景技術】
【０００２】
従来、組立式のコンテナとして、例えば特開平９−１４２４６４号の箱では、方形で平板状の底板と、底板の四周辺に接して直立する底側板とからなる底皿部と、底皿部の四周辺の内側に沿って直立する４個の側板と、底皿部の内側の４隅に接して直立し、かつ、側板の垂直方向の端部を嵌め込むことによって隣り合う側板を繋ぐための凹部を有する、水平方向の断面の形状がＬ字型の４個の支柱と、箱の側面部に被さって位置する蓋からなる箱の構成が開示されている。
しかし、上記構成では、既存のパレットやスキッド台車をそのまま使用することができず、底板の四周辺に接して直立する底側板を形成する必要があった。
そして、４個の支柱の凹部に４枚の側板のそれぞれの垂直端部を嵌め込んで連結する必要があり、部品点数が多く、組立乃至分解も繁雑になるという欠点がある。
【先行技術文献】
【特許文献】
【０００３】
【特許文献１】特開平９−１４２４６４号公報
【発明の概要】
【発明が解決しようとする課題】
【０００４】
この発明は、上記事情に鑑みて創案されたものであって、その主たる課題は、支柱を用いることなく、パレットやスキッド台車等の搬送器具に枠状の支持壁部を設け、これにカバーパネルを掛止めるだけで、着脱可能に組立てることができる組立式コンテナを提供することにある。
【課題を解決するための手段】
【０００５】
この発明は、上記課題を解決するために、請求項１の発明では、
搬送器具の方形の荷台面上に立設する枠状の支持壁部と、
該支持壁部の対向する一対の第１壁面に形成された突部又は受部からなる第１掛止構成部と、
前記支持壁部の対向する一対の第１壁面の内面に接して立設すると共に、前記第１掛止構成部に掛止められる受部又は突部からなる第２掛止構成部と、第２カバーパネルの左右の端部のいずれか一側を上下に摺動可能に嵌合する嵌合溝と、第２カバーパネルと相互に掛止められる第３掛止構成部とを設けた一対の第１カバーパネルと、
該一対の第１カバーパネルの嵌合溝間に挿入されて下向きに摺動自在な左右の端部を有して第１カバーパネルに掛け止められ、前記支持壁部の第１壁面に隣接し直交する一対の第２壁面の内面に沿って立設する一対の第２カバーパネルと、
前記支持壁部に第１カバーパネルと第２カバーパネルとが組み立てられた箱体の上端に外嵌する蓋部とからなって、略箱形に組み立てられる組立式コンテナであって、
前記支持壁部には、角部にアングル状の補強金具が固定されており、
前記支持壁部の内周は、第１カバーパネルと第２カバーパネルとが支持壁部から分解して横倒した第１カバーパネルと第２カバーパネルとを収納可能な内周寸法に設定されており、
前記蓋部は支持壁部に外嵌し、蓋部の下端が前記補強金具に衝合して掛止められることを特徴とする。
【０００６】
請求項２の発明では、
前記第１カバーパネルと第２カバーパネルの掛止手段が、
第１カバーパネルに設けた嵌合溝と第２カバーパネルに形成されて前記嵌合溝に摺動可能に嵌合する第２カバーパネルの左右の端部との組合せと、
第１カバーパネルに設けられて、前記嵌合溝を形成する周壁の上方で上端が開口した上部受溝、又は嵌合溝の下部で嵌合溝内に突出した下方突部からなる第３掛止構成部と、第２カバーパネルに設けられて、第２カバーパネルの上部に設けられて前記上部受溝に上から挿入される上方突部、又は下部に設けられて下方突部に上から挿入される下端が開口した下部受溝からなる第４掛止構成部との組合せとからなることを特徴とする。
また、請求項３の発明では、
前記第１カバーパネルは、プラスチック製中空体シートの第１パネル本体と、該第１パネル本体の左右両端を嵌合すると共に嵌合溝一対の金属製の第１フレームとからなっており、
第２カバーパネルが、プラスチック製中空体シートの第２パネル本体と、該第２パネル本体の少なくとも上端を嵌合する第３嵌合溝部を有する金属製の第２フレームとからなっており、
第２掛止構成部及び第３掛止構成部が第１カバーパネルの第１フレームに形成されており、
第４掛止部が、第２カバーパネルの第２フレームに形成されていることを特徴とする。
また、請求項４の発明では、
前記第１掛止構成部は、第１壁面と補強金具とを貫通する貫通孔からなっていることを特徴とする。
【発明の効果】
【０００７】
この発明は、以下のような特有の効果を奏することができる。
（１）搬送器具の荷台面上に固定した支持壁部に第１掛止構成部を設けておき、一対の第１カバーパネルに前記第１掛止構成部に掛止可能な第２掛止構成部を設けることで、支持壁部に沿って対向する一対の第１カバーパネルを起立姿勢で掛止めることができる。
この一対の第１カバーパネルにより一対の対向する嵌合溝を形成し、該嵌合溝に沿って第２カバーパネルを上から下に嵌合して荷台面上に箱型に組み立てることができる。
（２）第１カバーパネルの嵌合溝を形成する周壁に第３掛止構成部を設け、第２カバーパネルに設けた第４掛止構成部を掛止めることで、箱型に組み立てられた状態で、第１カバーパネルと第２カバーパネルとを相互に掛止めることができ、組み立てられた箱型の強度を一層高めることができる。
（３）第１カバーパネルと第２カバーパネルとをパネル本体と金属製のフレームとし、該フレームに嵌合溝や各掛止構成部を設けることで、コンテナ組立時の連結強度を高めながら全体の軽量化を図ることができる。
（４）蓋体を箱型に組み立てられたコンテナの上部に外嵌することで上部開口を塞ぐことができる。
また、支持壁部の内周寸法を、分解した第１カバーパネル及び第２カバーパネルを倒した際の外周寸法以上に設定することで、不使用時に支持壁部内に第１カバーパネル及び第２カバーパネルを収納し、蓋部で覆って回収することができる。
【図面の簡単な説明】
【０００８】
【図１】組立式コンテナの組立状態を示す断面図である。
【図２】支持壁部の側断面図である。
【図３】（ａ）は第１カバーパネルの斜視図、（ｂ）は側面図、（ｃ）は平面図である。
【図４】（ａ）は第２カバーパネルの正面図、（ｂ）は側面図、（ｃ）が平面図である。
【図５】（ａ）は支持壁部に一方の第１カバーパネルを掛け止めた状態、（ｂ）は一対の第１カバーパネルを掛け止めた状態の説明図である。
【図６】（ａ）は第１カバーパネル間に一方の第２カバーパネルを嵌め込んだ状態、（ｂ）は一対の第２カバーパネルを嵌め込んだ状態の説明図である。
【図７】支持壁部と第１カバーパネルと第２カバーパネルの掛止状態を示す部分斜視図である。
【図８】第１カバーパネルと第２カバーパネルとを取り外し、支持壁部内に収納したコンテナ回収時の状態を示す斜視図である。
【図９】第１掛止構成部を突部とし、第２掛止構成部を孔（受部）とした実施例２の説明図である。
【図１０】第３掛止構成部を下方突部とし、第４掛止構成部を下部受溝とした実施例３の説明図である。
【図１１】第３掛止構成部と第４掛止構成部とを省略した実施例４の要部斜視図である。
【発明を実施するための形態】
【０００９】
以下に、この発明の組立式コンテナの好適実施例について図面を参照しながら説明する。
【実施例１】
【００１０】
本実施例の組立式コンテナ１は、搬送器具としてパレットを用いたものである。
この組立式コンテナ１は、図１に示すように、方形の荷台面２を有するパレット９と、該パレット９の荷台面２上で、外周縁近傍に沿って枠状に立設する支持壁部３と、該支持壁部３の内面に沿って四周を囲む一対の第１カバーパネル１０及び一対の第２カバーパネル２０と、上面を塞ぐ蓋部３０とからなっている。
【００１１】
［パレット］
パレット９は、図１に例示するように、上面に方形の荷台面２を有する合成樹脂製のパレットからなっている。
該パレット９の一方の外周縁部に沿う側壁面の中途位置には、対向方向に延びてフォークを挿入するための一対の貫通孔９ａが設けられた公知構成からなっている。
この発明では、方形の荷台面を有するものであれば、上記パレットに限らず、木製のパレットやスキッド台車その他の公知の搬送器具を用いることができる。
【００１２】
［支持壁部］
支持壁部３は、図２及び図７に明瞭なように、下端が荷台面２に固定された金属製の枠状の壁面であって、図示例では荷台面２の外周縁より僅かに内側に立設された平面視方形の壁体からなっている。
該支持壁部３は、対向する一対の第１壁面４と、該第１壁面４と隣接し直交する方向に設けられた第２壁面５とからなっている。
【００１３】
［第１掛止構成部］
前記第１壁面４には、第１カバーパネル１０を支持壁部３に凹凸係合により掛止めるための第１掛止構成部７が形成されている。
本実施例では、第１掛止構成部７は、荷台内方と外方を貫通する貫通孔からなっている。
【００１４】
支持壁部３の各角部には、図７に示すように、外側からアングル状の補強金具６が隙間無く外嵌し固定されている。
この補助金具６は、角部と下端を揃え、高さが支持壁部３の高さ方向中途位置まで延びる寸法に設定され、上端が支持壁部３との間で段部を形成している。
そして、前記第１掛止構成部７は、第１壁面４と補強金具６とを貫通している。
【００１５】
［第１カバーパネル］
第１カバーパネル１０は、図３に示すように、合成樹脂製の第１パネル本体１１と、該第１パネル本体１１の左右両端を嵌合固定する一対の金属製の第１フレーム１２、１２とからなっている。
第１パネル本体１１はプラスチック製中空体シートが用いられるが、この発明では、発泡プラスチックボードその他の発泡体シートなど、軽量で強度を有する素材を用いても良い。
プラスチック製中空体シートは、例えば、一回の押し出しで一体として吐出・成型されたプラスチック製段ボール、２枚のライナーの間に中芯を有するプラスチック製段ボール、など中空構造であれば好ましい。
前記第１パネル本体１１は、図示例では横目のプラスチック製段ボールが用いられており、その左右両端面は第１フレーム１２でカバーされている（図３（ａ）参照）。
この発明ではプラスチック製段ボールの目の向きは特に限定されないが、横目とし第１フレーム１２でカバーすることで中空部分への異物の侵入を防ぐことができ、上方からの負荷に対する強度は第１フレーム１２によって補強することができる。
【００１６】
［第１フレーム］
第１フレーム１２は、第１パネル本体１１の左右両端部をそれぞれ嵌合固定する左右対称の一対のフレームからなっており、断面略コ字状のパネル固定部１２ａと、該パネル固定部１２ａに連接し第１パネル本体１１の延出方向と直交する方向に開口した嵌合溝１３を有する嵌合溝形成部１３Ａとを有している。
【００１７】
［嵌合溝］
嵌合溝１３は、第１カバーパネル１０の左右両端側で、開口の向きを同じにして第１カバーパネル１０の高さ方向の全長に亘って一対に形成されている（図３（ａ）参照）。
該嵌合溝１３は、組立時に対向する一対の第１カバーパネル１０間において、それぞれ開口が向かい合う一対のスライド溝を形成するもので、第２カバーパネル２０の端部をそれぞれ上から挿入して荷台面まで下向きにスライドして嵌合溝１３に嵌め込み、第１カバーパネル１０間に第２カバーパネル２０を嵌め込んで組み立てる構成からなっている（図６（ａ）参照）。
【００１８】
［第２掛止構成部］
そして、本実施例では、前記第１掛止構成部７に掛止められる突部からなる第２掛止構成部１４が、嵌合溝１３の底壁裏面となる第１フレーム１２から外方へ突出し、前記貫通孔からなる第１掛止構成部７に出没可能な柱状の突部が形成されている。
【００１９】
［第３掛止構成部］
また、前記嵌合溝形成部１３Ａで、嵌合溝１３の側壁の一方（図示例では外側）には、上部が開口したＵ字状の上部受溝からなる第３掛止構成部１５が形成されている。
【００２０】
［第２カバーパネル］
第２カバーパネル２０は、図４に示すように、合成樹脂製の第２パネル本体２１と、該第２パネル本体２１の上端に沿って嵌合固定された第２フレーム２２とを有しており、本実施例では更に第２パネル本体２１の下端に沿って嵌合固定される第３フレーム２３を備えている。
第２パネル本体２１は、前記第１パネル本体１１と同様に、プラスチック製中空体シートが好ましい。
前記第２パネル本体２１は、図示例では縦目のプラスチック製段ボールが用いられており、その上下両端面は第２フレーム２２、第３フレーム２３でカバーされている（図４（ａ）参照）。
この発明ではプラスチック製段ボールの目の向きは特に限定されないが、縦目とすることで、上方からの負荷に対する強度が高まり、また第２フレーム２２、第３フレーム２３により中空部分への異物の侵入を防ぐことができる。
また、第２フレーム２２は、断面略コ字状からなって矩形の第２パネル本体２１の上端縁に沿って外嵌し固着されており、第３フレーム２３は、断面略コ字状からなって矩形の第２パネル本体２１の下端縁に沿って外嵌し固着されている。
【００２１】
［第４掛止構成部］
そして、第２フレーム２２の左右両側の上部には、第２フレーム２２の延出方向と直交する方向に突出し、前記第３掛止構成部１５のＵ字溝に上から挿入される柱状の上方突部からなる第４掛止構成部２５が形成されている。
【００２２】
第４掛止構成部２５は、第１カバーパネル１０に第２カバーパネル２０を掛止める際に、第３掛止構成部１５に掛止められるものであるので、嵌合溝形成部１３Ａの第３掛止構成部１５が形成される配置に対応してその位置が決められる。
【００２３】
即ち、本実施例では、第３掛止構成部１５が嵌合溝形成部１３Ａの外側の側壁に形成されたため、第４掛止構成部２５は組立時に荷台外方を向くように第２フレーム２２に設けられたが、第３掛止構成部１５が嵌合溝形成部１３Ａの溝底壁に形成される場合には、第４掛止構成部２５は組立時に第２フレーム２２の延出方向に沿って外方を向くように配置され、また第３掛止構成部１５が嵌合溝形成部１３Ａの内側の側壁（パネル固定部１２ａの溝底壁）に形成される場合には、第４掛止構成部２５は組立時に第２フレーム２２の延出方向に沿って荷台内方を向くように配置されればよい（図示せず）。
【００２４】
［蓋部］
蓋部３０は、下面が開放された箱形からなっている(図１参照）。
蓋部３０は、第３パネル本体３１の上面を額縁状に覆って固着するフランジ片３２と、該フランジ片３２から直角に折れ曲がって角筒状となる周壁部３３とからなっており、周壁部３３のコーナー部にはアングル状の補強金具３４が固定されている。
第３パネル本体３１は、前記第１パネル本体と同様に、プラスチック製中空体シートが好ましい。
【００２５】
該蓋部３０は、その内周が前記第１カバーパネル１０と第２カバーパネル２０とで組み立てられた箱体の上端に外嵌可能な寸法に設定されており、箱体に沿って嵌め込むことができる。
なお、箱体の解体時には、蓋部３０の下端が前記支持壁部３に固定された補強金具６の上端の段部に掛止められて、定位置で蓋を閉じることができるようになっている（図８参照）。
【００２６】
ここで、支持壁部３の内周は、第１カバーパネル１０と第２カバーパネル２０とが支持壁部３から取りはずされた際に横倒した第１カバーパネル１０と第２カバーパネル２０とを収納可能な内周寸法に設定されている。
従って、組み立てられた箱体が解体されると、第１カバーパネル１０と第２カバーパネル２０とは横に水平に倒し積み重ねて支持壁部３の内部に収納することができる。
積み重ねたパネルの高さが支持壁部３より高い場合であっても、本実施例のように前記蓋部３０を中空位置で掛止めることで、蓋部３０の内空部も収納空間として利用することができる。
【００２７】
［組立方法］
図５及び図６により、上記構成部品を用いた組立式コンテナ１の組立方法を説明する。
まず、図５（ａ）に示すように、パレット９の荷台面２上の支持壁部３の第１壁面４に沿って、内側から第１カバーパネル１０を押し当てる。
そして、支持壁部３の貫通孔からなる第１掛止構成部７に第１カバーパネル１０の突部からなる第２掛止構成部１４を突入して掛止める。
同様に図５（ｂ）に示すように、対向する第１壁面４の第１掛止構成部７にも他方の第１カバーパネル１０の第２掛止構成部１４を突入して掛止め、一対の第１カバーパネル１０を平行に離間して自立させる。
即ち、第２掛止構成部１４が第１掛止構成部７に突入して、掛止められているため、第１カバーパネルは、内側に倒れ込まず、外側にも支持壁部３があるため倒れず、自立することができる。
これにより、第２カバーパネル２０を挿入する際、一対の第１カバーパネルを
手で支えておく必要がなく、作業者が一人でも組立ができる。
【００２８】
次に、起立した一対の第１カバーパネル１０間の両側に形成されて向かい合う一対の嵌合溝１３によりスライド溝を形成し、第２カバーパネル２０の両端を上から下向きに摺動させて荷台面２まで挿入する（図６（ａ）参照）。
この第２カバーパネル２０の下降に伴い、第２カバーパネル２０に形成された第４掛止構成部２５を第１カバーパネル１０の第３掛止構成部１５に掛け止めて、第１カバーパネル１０と第２カバーパネル２０を相互に掛止めることができる。
【００２９】
そして、一対の第１カバーパネル１０の間に、直角に一対の第２カバーパネル２０が掛け止められて、支持壁部３の内面に沿って４面からなるカバーパネル１０、２０により箱体が組み立てられる（図６（ｂ）参照）。
このように形成された箱体に上から蓋部３０を被せることで、上部開口を塞ぐことができ、コンテナの組み立てが完成する。
【００３０】
コンテナの不使用時には、前記とは逆の手順で蓋部を外し、各カバーパネル１０、２０を分解していく。
即ち、第２カバーパネル２０は嵌合溝１３に沿って上方に摺動し引き上げるだけで第３掛止構成部１５と第４掛止構成部２５の掛止が外れ、第２カバーパネル２０を取りはずすことができる。
次に、第１カバーパネル２０を荷台内方へ押し動かすことで、前記支持壁部３の第１掛止構成部７から第２掛止構成部１４を外して第１カバーパネル１０を取りはずすことができる。
取りはずした第１カバーパネル２０と第２カバーパネル２０とは横に倒して支持壁部３の内部に収納し、蓋部３０を支持壁部３に被せることで、コンパクトに収納することができ、発送元へ回送して繰り返し再使用することができる（図８参照）。
【実施例２】
【００３１】
図９は実施例２の組立式コンテナ１の要部を示すもので、支持壁部３に固定された第１掛止構成部７を突部とし、第１カバーパネル１０の第２掛止構成部１４を受部とした異なる実施例を示す。
凹凸の掛止を逆にした以外は前記実施例と同様であるので、その他の説明を省略する。
【実施例３】
【００３２】
図１０は実施例３の組立式コンテナ１の要部を示すもので、第１カバーパネル１０の第３掛止構成部１５が、嵌合溝１３の下部で嵌合溝１３内に突出した下方突部からなっている。
そして、第２カバーパネル２０の下部、図示例では第３フレーム２３に第４掛止構成部２５が形成されている。
即ち、第４掛止構成部２５は、第２カバーパネル２０の下部に設けられて前記下方突部の第３掛止構成部１５に上から挿入される下端が開口した倒立Ｕ字状の下部受溝からなっている。
【００３３】
従って、支持壁部３に掛け止められて対峙する一対の第１カバーパネル１０間の嵌合溝１３に第２カバーパネル２０の左右両端を挿入し下向きにスライドさせると、荷台面２の近傍で、前記第４掛止構成部２５の下部受溝が第３掛止構成部１５の下方突部に外嵌して、両者が掛止められる。
分解する際には第２カバーパネル２０を引き上げるだけでよい。
その他の構成は前記実施例と同様であるので、その説明を省略する。
【００３４】
また、本実施例でも、第３掛止構成部１５と第４掛止構成部２５との配置は図示例には限らず、嵌合溝１３の周壁のいずれかに第３掛止構成部１５が設けられ、これに対応して第４掛止構成部２５が設けられればよい。
【実施例４】
【００３５】
図１１は実施例４の組立式コンテナ１の要部を示すもので、この実施例では、第３掛止構成部１５と第４掛止構成部２５との掛止構造を省略している。
即ち、第１カバーパネル１０と第２カバーパネル２０との掛止は、第１カバーパネル１０の嵌合溝１３に、第２カバーパネル２０の左右の端部が嵌合する構造だけであってもよい。
その他の構成は前記実施例と同様であるので、説明を省略する。
【００３６】
この発明は上記実施例に限定されるものではなく、各実施例に記載された構成の一部を適宜に組み合わせた構成としてもよく、その他、要するにこの発明の要旨を変更しない範囲で種々設計変更しうること勿論である。
【符号の説明】
【００３７】
１    組立式コンテナ
２    荷台面
３    支持壁部
４    第１壁面
５    第２壁面
６    補強金具
７    第１掛止構成部
９    パレット
１０    第１カバーパネル
１１    第１パネル本体
１２    第１フレーム
１３    嵌合溝
１４    第２掛止構成部
１５    第３掛止構成部
２０    第２カバーパネル
２１    第２パネル本体
２２    第２フレーム
２５    第４掛止構成部
３０    蓋部
【図１】
0005753436.tif 000002
【図２】
0005753436.tif 000003
【図３】
0005753436.tif 000004
【図４】
0005753436.tif 000005
【図５】
0005753436.tif 000006
【図６】
0005753436.tif 000007
【図７】
0005753436.tif 000008
【図８】
0005753436.tif 000009
【図９】
0005753436.tif 000010
【図１０】
0005753436.tif 000011
【図１１】
0005753436.tif 000012